(57)【要約】      （修正有）【課題】使用中にペットがひっくり返しまたは移動させにくく、一方ユーザは移動させるのに便利であるペット食器を提供する。【解決手段】ペット食器は、食器受皿１と食器本体２とを含み、食器本体の底部は食器受皿の上表面にラッチング構造３を介して取外し可能に接続され、食器受皿の底面は被着面に接続する吸着面１１と食器受皿の底面周縁にある間隔面１２とを含み、吸着面の周縁は食器本体の底部周縁の外側を囲み、間隔面により吸着面と被着面の間に隙間が形成される。周縁部はずっと被着面と接続するため、ペットが食事する時、ペット食器をひっくり返し又は他の場所に移動するのを防止できる。ユーザは食器受皿の周縁を介して食器受皿を上げて被着面と分離できるため、ペット食器を移動できる。また、ラッチング構造を介して食器受皿は食器本体と分離できるので、使用しやすい。【選択図】図２
0003215101.tif 000002
【実用新案登録請求の範囲】
【請求項１】
ペット食器であって、
食器受け皿と、食器本体と、を含み、
前記食器本体の底部は前記食器受け皿の上表面にラッチング構造を介して取り外し可能に接続され、
前記食器受け皿の底面は、被着面に装着される吸着面と、間隔面と、を含み、
前記吸着面の周縁は、前記食器本体の底部周縁の周りの外側を囲み、
前記間隔面は、前記食器受け皿の底面の周縁にあり、前記吸着面に対向して前記被着面から離れることによって、前記間隔面と前記被着面の間に隙間が形成され得る、ことを特徴とするペット食器。
【請求項２】
前記吸着面は、平面状である、ことを特徴とする請求項１に記載のペット食器。
【請求項３】
前記間隔面は、前記吸着面を囲む環状である、ことを特徴とする請求項１に記載のペット食器。
【請求項４】
前記食器受け皿の周縁は前記食器本体に向かって湾曲するように引上げ部が形成される、ことを特徴とする請求項１に記載のペット食器。
【請求項５】
前記ラッチング構造は少なくとも二つであり、前記食器本体の中心軸を中心にして囲むように並び、
前記ラッチング構造は、第一タングと第二タングとを含み、
前記第一タングは前記食器受け皿に設けられ、前記第一タングと前記食器受け皿の間に、前記第二タングをクランプするための第一挟持溝が形成され、
隣接する二つの前記ラッチング構造の第一タングは、離間して設けられ、二つの間に、前記第二タングを挿入するための第一挿入溝が形成され、
前記第二タングは前記食器本体に設けられ、前記第二タングと前記食器本体の間に、前記第一タングをクランプするための第二挟持溝が形成され、
隣接する二つの前記ラッチング構造の第二タングは、離間して設けられ、二つの間に、前記第一タングを挿入するための第二挿入溝が形成され、
前記第一タングが前記第二挿入溝にある時、前記第二タングは前記第一挿入溝にあり、前記食器本体は前記食器受け皿と互いに分離することができ、この時、前記食器本体と前記食器受け皿とは逆向きに回転した後、前記第一タングは前記第二挟持溝に移動され、前記第二タングは前記第一挟持溝に移動され、前記食器本体は前記食器受け皿にラッチング接続される、ことを特徴とする請求項１〜４のいずれかにに記載のペット食器。
【請求項６】
前記第一タングおよび前記第二タングの両方とも前記食器本体の中心軸を中心にして囲むように設けられる弧形である、ことを特徴とする請求項５に記載のペット食器。
【請求項７】
少なくとも一つの前記ラッチング構造の前記第一挟持溝は、凸包が設けられ、
前記第二タングをチャッキングするように、前記凸包は前記第一タングと対向して設けられる、ことを特徴とする請求項５に記載のペット食器。
【請求項８】
前記食器受け皿に前記クランププレートが設けられ、
前記クランププレートに円形のクランプ溝が設けられ、
前記第一タングは前記クランプ溝の側壁に固定され、前記クランプ溝の底面と前記第一タングの間に、第一挟持溝が形成され、
前記食器本体の底部にクランプリングが設けられ、前記第二タングは前記クランプリングの外側壁に設けられ、前記クランプリングは前記クランプ溝に挿入され得る、ことを特徴とする請求項５に記載のペット食器。
【請求項９】
前記第一タングと前記クランププレートは一体成形され、前記クランププレートは前記食器受け皿の上表面にはめ込まれ、
前記第二タングと、前記クランプリングと、前記食器本体との三者は、一体成形される、ことを特徴とする請求項８に記載のペット食器。
【請求項１０】
前記食器本体の底部に、支持脚が設けられ、
前記支持脚は、前記食器受け皿の上表面に当接される、ことを特徴とする請求項１に記載のペット食器。
【考案の詳細な説明】
【技術分野】
【０００１】
本考案はペット用品に関し、特に、ペット食器に関する。
【背景技術】
【０００２】
従来技術において、ペットが食事する時、ペット食器をひっくり返し、またはペット食器を他の場所に移動させて食事することにより、食べ物をこぼしてしまい、掃除をするのが大変になる。そのため、位置を固定することができるペット食器が必要であり、ひっくり返しにくく、同時に、ペット食器を移動するのに便利である。
【考案の概要】
【０００３】
本考案が解決しようとする課題は、使用中にペットがひっくり返しまたは移動させにくく、同時にユーザが移動させるのに便利であるペット食器を提供することにある。
【０００４】
上述した課題を解決するために、本考案の実施形態によるペット食器は、食器受け皿と、食器本体と、を含む。食器本体の底部は食器受け皿の上表面にラッチング構造を介して取り外し可能に接続される。食器受け皿の底面は、被着面に装着される吸着面と、間隔面と、を含む。吸着面の周縁は、食器本体の底部周縁の周りの外側を囲む。間隔面は、食器受け皿の底面の周縁にあり、吸着面に対向して被着面から離れることによって、間隔面と被着面の間に隙間が形成され得る。
【０００５】
吸着面は、平面状である。
【０００６】
間隔面は、吸着面を囲む環状である。
【０００７】
食器受け皿の周縁は食器本体に向かって湾曲するように引上げ部が形成される。
【０００８】
ラッチング構造は少なくとも二つであり、食器本体の中心軸を中心にして囲むように並ぶ。ラッチング構造は、第一タングと第二タングとを含む。第一タングは食器受け皿に設けられ、第一タングと食器受け皿の間に、第二タングをクランプするための第一挟持溝が形成される。隣接する二つのラッチング構造の第一タングは、離間して設けられ、二つの間に、第二タングを挿入するための第一挿入溝が形成される。第二タングは食器本体に設けられ、第二タングと食器本体の間に、第一タングをクランプするための第二挟持溝が形成される。隣接する二つのラッチング構造の第二タングは、離間して設けられ、二つの間に、第一タングを挿入するための第二挿入溝が形成される。
【０００９】
第一タングは第二挿入溝にある時、第二タングは第一挿入溝にあり、食器本体は食器受け皿と互いに分離することができる。この時、食器本体と食器受け皿とは逆向きに回転した後、第一タングは第二挟持溝に移動され、第二タングは第一挟持溝に移動され、食器本体は食器受け皿にラッチング接続される。
【００１０】
第一タングおよび第二タングの両方とも食器本体の中心軸を中心にして囲むように設けられる弧形である。
【００１１】
少なくとも一つのラッチング構造の第一挟持溝は、凸包が設けられる。第二タングをチャッキングするように、凸包は第一タングと対向して設けられる。
【００１２】
食器受け皿にクランププレートが設けられ、クランププレートに円形のクランプ溝が設けられる。第一タングはクランプ溝の側壁に固定される。クランプ溝の底面と第一タングの間に、第一挟持溝が形成される。食器本体の底部にクランプリングが設けられ、第二タングはクランプリングの外側壁に設けられ、クランプリングはクランプ溝に挿入され得る。
【００１３】
第一タングとクランププレートは一体成形され、クランププレートは食器受け皿の上表面に埋め込まれる。第二タング、クランプリング及び食器本体の三者は、一体成形される。
【００１４】
食器本体の底部に、支持脚が設けられる。支持脚は、食器受け皿の上表面に当接される。
【００１５】
本考案の実施形態によるペット食器は、吸着面と被着面に接続することによって、吸着面の周縁は食器本体の底部周縁の周りの外側を囲み、食器本体の底部は食器受け皿に接続される。食器本体を直接移動させる時、食器本体が食器受け皿に作用することにより、吸着面の中心部位が持ち上げられるが、周縁部はずっと被着面と接続されるので、吸着力が生じる。それにより、食器受け皿は被着面に対して移動することができず、食器本体も移動できない。そのため、ペットは食事する時、ペット食器をひっくり返し、またはペット食器を他の場所に移動させることを防ぐ。食器受け皿の周縁にある間隔面により、食器受け皿の周縁と被着面の間に隙間が存在して、ユーザは食器受け皿の周縁を介して食器受け皿を上げて被着面と分離することができる。それにより、ペット食器を移動させることができる。食器受け皿は食器本体にラッチング構造を介して取り外し可能に接続され得る。それにより、食器受け皿は食器本体と分離することができ、使用するのに便利である。
【００１６】
本考案の実施形態または従来技術の技術手段を明らかに説明するために、以下、本考案の実施形態または従来技術の記載に使用される図面について簡単に説明する。以下に説明する図面は、本考案のいくつかの実施形態を説明するための図面に過ぎず、これらの図面によって、当業者にとって創造的な努力なしに、他の図面を得ることができることは明らかであろう。
【図面の簡単な説明】
【００１７】
【図１】図１は、本考案の好ましい実施形態に係るペット食器の構造の概略図である。
【図２】図２は、図１におけるペット食器の断面図である。
【図３】図３は、図１におけるペット食器が分離する状態における概略図である。
【図４】図４は、図３におけるペット食器が分離する状態における他の角度の概略図である。
【考案を実施するための形態】
【００１８】
以下、本考案の実施形態に係る図面を参照しながら、本考案の実施形態における技術手段を明瞭、且つ詳細に説明する。
【００１９】
図１〜図４を参照して、図１〜図４は、本考案の好ましい実施形態に係るペット食器である。ペット食器は、食器受け皿１と、食器本体２と、を含む。食器本体２の底部は食器受け皿１の上表面にラッチング構造３を介して取り外し可能に接続される。食器受け皿１の底面は、被着面に装着される吸着面１１と、間隔面１２と、を含む。吸着面１１の周縁は、食器本体２の底部周縁の外側を囲む。間隔面１２は、食器受け皿１の底面の周縁にあり、吸着面１１に対向して被着面から離れることによって、間隔面１２と被着面の間に隙間が形成され得る。
【００２０】
吸着面１１と被着面に接続し、吸着面１１の周縁は食器本体２の底部周縁の周りの外側を囲むことを利用して、食器本体２の底部は食器受け皿１に接続される。食器本体２を直接移動させる時、食器本体２が食器受け皿１に作用することにより、吸着面１１の中心部位は上げられるが、周縁部はずっと被着面と接続されるので、吸着力が生じる。それにより、食器受け皿１は被着面に対して移動することができず、食器本体２も移動できない。そのため、ペットは食事する時、ペット食器をひっくり返し、またはペット食器を他の場所に移動させることを防ぐ。食器受け皿１の周縁にある間隔面１２により、食器受け皿１の周縁と被着面の間に隙間が存在して、ユーザは食器受け皿１の周縁を介して食器受け皿１を上げて被着面と分離することができる。それにより、ペット食器を移動させることができる。食器受け皿１は食器本体２にラッチング構造３を介して取り外し可能に接続され得る。それにより、食器受け皿１は食器本体２と分離することができ、使用するのに便利である。
【００２１】
図２に示すように、吸着面１１は平面状であるため、食器受け皿１の加工や製造を行うのに便利であり、同時に、吸着面１１は被着面に接続され得る。食器本体２を移動する時、食器本体２と食器受け皿１の間の作用力によって、吸着面１１の中心部位を上げることができ、吸着面１１と被着面の間の気圧を減らし、吸着面１１の周縁は被着面に固く吸着され得る。言うまでもなく、他の実施形態において、吸着面１１の周縁は被着面に接続され、吸着面１１の中心部位は吸着面１１に対して湾曲し被着面と直接接続（密着）しなくてもよい。
【００２２】
間隔面１２は吸着面１１を囲む環状である。食器受け皿１の周りの周縁の全体と被着面の間に、隙間が存在し、それにより、食器受け皿１の周縁は任意位置において、食器受け皿１を持ち上げることができ、使用するのに便利である。
【００２３】
食器受け皿１の周縁は食器本体２に向かって湾曲するように引上げ部１３が形成される。引上げ部１３によって、食器受け皿１の底面は、吸着面１１との隙間が存在する間隔面１２を形成することができる。同時に、引上げ部１３によって、ユーザが食器受け皿１の周縁を手で引上げやすく、食器受け皿１を持ち上げるのに便利である。引上げ部１３は、食器受け皿１の周りの周縁に沿って設けられる環形であってもよく、それにより、間隔面１２は環形である。引上げ部１３は、食器受け皿１のある辺や角の周縁であってもよく、間隔面１２は食器受け皿１の周縁のある位置に設けられ得る。
【００２４】
図２〜４を参照して、ラッチング構造３は少なくとも二つであり、食器本体２の中心軸を中心にして囲むように並ぶ。本実施形態において、ラッチング構造３は三つである。ラッチング構造３は、第一タング３１と第二タング３２とを含む。第一タング３１は食器受け皿１に設けられ、第一タング３１と食器受け皿１の間に、第二タング３２をクランプするための第一挟持溝３１０が形成される。隣接する二つのラッチング構造３の第一タング３１は、離間して設けられ、二つの間に、第二タング３２を挿入するための第一挿入溝３１１が形成される。第二タング３２は食器本体２に設けられ、第二タング３２と食器本体２の間に、第一タング３１をクランプするための第二挟持溝３２０が形成される。隣接する二つのラッチング構造３の第二タング３２は、離間して設けられ、二つの間に、第一タング３１を挿入するための第二挿入溝３２１が形成される。
【００２５】
第一タング３１が第二挿入溝３２１にある時、第二タング３２は第一挿入溝３１１にあり、食器本体２は食器受け皿１と互いに分離することができる。この時、食器本体２と食器受け皿１とは逆向きに回転した後、第一タング３１は第二挟持溝に移動され、第二タング３２は第一挟持溝に移動され、食器本体２は食器受け皿１にラッチング接続される。
【００２６】
ラッチング構造３によって、食器本体２と食器受け皿１とは逆向きに回転することにより、第一タング３１は第二挟持溝３２０に係止され、第二タング３２は第一挟持溝３１０に係止される。それにより、食器本体２は食器受け皿１にクランプされ、全体を形成する。同時に、食器本体２と食器受け皿１とは逆向きに回転することにより、第一タング３１は第二挟持溝３２０から取り外され、第二タング３２は第一挟持溝３１０から取り外される。それにより、食器本体２は食器受け皿１と分離することができる。回転手段によって、食器本体２は食器受け皿１と接続され、または取り外されるので、使用するのに便利である。ここで、他の実施形態において、ラッチング構造３は、フックと挟持溝の組合わせであってもよく、または、従来技術のラッチング構造３を採用して接続され得る。
【００２７】
第一タング３１および第二タング３２の両方とも食器本体２の中心軸を中心にして囲むように設けられる弧形であってもよい。それにより、第一タング３１と第二タング３２の合わせ面を拡大し、食器本体２と食器受け皿１の間の接続の構造強度を向上する。
【００２８】
少なくとも一つのラッチング構造３の第一挟持溝３１０には、凸包３１２が設けられる。第二タング３２をチャッキングするように、凸包３１２は第一タング３１と対向して設けられる。第二舌片状部が第一挟持溝３１０に回転する時、凸包３１２は、第二舌片状部を第一タング３１と当接するまで持ち上げることができる。それにより、第二舌片状部は、第一タング３１と凸包３１２の間にチャッキングされ、食器本体２と食器受け皿１の接続強度を向上する。
【００２９】
食器受け皿１にクランププレート３０が設けられ、クランププレート３０に円形のクランプ溝３００が設けられる。第一タング３１はクランプ溝３００の側壁に固定される。クランプ溝３００の底面と第一タング３１の間に、第一挟持溝３１０が形成される。食器本体２の底部にクランプリング２３が設けられ、第二タング３２はクランプリング２３の外側壁に設けられ、クランプリング２３はクランプ溝３００に挿入され得る。クランププレート３０を利用して、複数の第一タング３１を食器受け皿１に設けやすい。円形のクランプ溝３００をクランプリング２３と合わせ、クランプ溝３００でクランプリング２３を回転することにより、食器本体２と食器受け皿１とは逆向きに回転することによって導かれる作用が引き起こされ、食器本体２と食器受け皿１の間の回転は便利になり、速くラッチング接続するのが有利である。ここで、他の実施形態において、第一タング３１は単独の接続柱などの構造を介して食器受け皿１に接続され得、第二タング３２は単独の接続柱などの構造を介して食器本体２に接続され得る。
【００３０】
第一タング３１とクランププレート３０は一体成形され得、クランププレート３０は食器受け皿１の上表面にはめ込まれる。第二タング３２、クランプリング２３及び食器本体２の三者は、一体成形され得るため、加工や製造を行うのに便利であり、製造コストを減らす。
【００３１】
また、食器本体２の底部に、支持脚２１が設けられる。支持脚２１は、食器受け皿１の上表面に当接され、食器本体２に支持作用を形成し、食器本体２のバランスを維持することができる。支持脚２１は三つであってもよく、食器本体２の底部を囲んで設けられ得る。または、支持脚２１は、食器本体２の底部を囲んで設けられる円環形であってもよく、または、支持脚２１を設けず、ラッチング構造３によって食器本体２を支持してもよい。
【００３２】
前記の実施形態は、該技術手段の保護範囲を制限するためのものではない。如何なる前記の実施形態の精神及び要旨を逸脱しない場合行われる変更、均等置換及び改良などは、いずれも本発明の範囲に属するものである。
【図１】
0003215101.tif 000003
【図２】
0003215101.tif 000004
【図３】
0003215101.tif 000005
【図４】
0003215101.tif 000006
【手続補正書】
【提出日】平成29年12月19日(2017.12.19)
【手続補正１】
【補正対象書類名】実用新案登録請求の範囲
【補正対象項目名】全文
【補正方法】変更
【補正の内容】
【実用新案登録請求の範囲】
【請求項１】
ペット食器であって、
食器受け皿と、食器本体と、を含み、
前記食器本体の底部は前記食器受け皿の上表面にラッチング構造を介して取り外し可能に接続され、
前記食器受け皿の底面は、被着面に装着される吸着面と、間隔面と、を含み、
前記吸着面の周縁は、前記食器本体の底部周縁の周りの外側を囲み、
前記間隔面は、前記食器受け皿の底面の周縁にあり、前記吸着面に対向して前記被着面から離れることによって、前記間隔面と前記被着面の間に隙間が形成され得る、ことを特徴とするペット食器。
【請求項２】
前記吸着面は、平面状である、ことを特徴とする請求項１に記載のペット食器。
【請求項３】
前記間隔面は、前記吸着面を囲む環状である、ことを特徴とする請求項１に記載のペット食器。
【請求項４】
前記食器受け皿の周縁は前記食器本体に向かって湾曲するように引上げ部が形成される、ことを特徴とする請求項１に記載のペット食器。
【請求項５】
前記ラッチング構造は少なくとも二つであり、前記食器本体の中心軸を中心にして囲むように並び、
前記ラッチング構造は、第一タングと第二タングとを含み、
前記第一タングは前記食器受け皿に設けられ、前記第一タングと前記食器受け皿の間に、前記第二タングをクランプするための第一挟持溝が形成され、
隣接する二つの前記ラッチング構造の第一タングは、離間して設けられ、二つの間に、前記第二タングを挿入するための第一挿入溝が形成され、
前記第二タングは前記食器本体に設けられ、前記第二タングと前記食器本体の間に、前記第一タングをクランプするための第二挟持溝が形成され、
隣接する二つの前記ラッチング構造の第二タングは、離間して設けられ、二つの間に、前記第一タングを挿入するための第二挿入溝が形成され、
前記第一タングが前記第二挿入溝にある時、前記第二タングは前記第一挿入溝にあり、前記食器本体は前記食器受け皿と互いに分離することができ、この時、前記食器本体と前記食器受け皿とは逆向きに回転した後、前記第一タングは前記第二挟持溝に移動され、前記第二タングは前記第一挟持溝に移動され、前記食器本体は前記食器受け皿にラッチング接続される、ことを特徴とする請求項１〜４のいずれかにに記載のペット食器。
【請求項６】
前記第一タングおよび前記第二タングの両方とも前記食器本体の中心軸を中心にして囲むように設けられる弧形である、ことを特徴とする請求項５に記載のペット食器。
【請求項７】
少なくとも一つの前記ラッチング構造の前記第一挟持溝は、凸包が設けられ、
前記第二タングをチャッキングするように、前記凸包は前記第一タングと対向して設けられる、ことを特徴とする請求項５に記載のペット食器。
【請求項８】
前記食器受け皿にクランププレートが設けられ、
前記クランププレートに円形のクランプ溝が設けられ、
前記第一タングは前記クランプ溝の側壁に固定され、前記クランプ溝の底面と前記第一タングの間に、第一挟持溝が形成され、
前記食器本体の底部にクランプリングが設けられ、前記第二タングは前記クランプリングの外側壁に設けられ、前記クランプリングは前記クランプ溝に挿入され得る、ことを特徴とする請求項５に記載のペット食器。
【請求項９】
前記第一タングと前記クランププレートは一体成形され、前記クランププレートは前記食器受け皿の上表面にはめ込まれ、
前記第二タングと、前記クランプリングと、前記食器本体との三者は、一体成形される、ことを特徴とする請求項８に記載のペット食器。
【請求項１０】
前記食器本体の底部に、支持脚が設けられ、
前記支持脚は、前記食器受け皿の上表面に当接される、ことを特徴とする請求項１に記載のペット食器。